【手続補正書】
【提出日】平成27年5月1日(2015.5.1)
【手続補正１】
【補正対象書類名】特許請求の範囲
【補正対象項目名】全文
【補正方法】変更
【補正の内容】
【特許請求の範囲】
【請求項１】
タイ本体（５２）と、
前記タイ本体に固定されたタイヘッド（６０）であって、該タイヘッドは、そこを通るストラップ受け入れ通路（９０）を画定する底部（６２）、天井部（７０）、第１の側面（８０）、第２の側面（８２）、ストラップ入口端部（８４）およびストラップ出口端部（８６）を有し、前記ストラップ受け入れ通路の両側面に近接した前記ストラップ出口端部において、傾斜した工具用軸受け面（８８）を有する、タイヘッドと、
前記タイ本体を固定しながら係合させるための、前記タイヘッド内に配設された、ローラー手段（９２）と、を備える、金属製ロッキングタイ（５０）。
【請求項２】
前記傾斜した工具用軸受け面（８８）は、前記タイヘッドの前記底部（６２）に対して傾斜している、請求項１に記載の金属製ロッキングタイ（５０）。
【請求項３】
前記ストラップ出口端部（８６）は、金属製ロッキングタイ用工具（１２０）を受容するために、朝顔形である、請求項１に記載の金属製ロッキングタイ（５０）。
【請求項４】
前記傾斜した工具用軸受け面（８８）は、金属製ロッキングタイ用工具（１２０）が前記タイ本体（５２）の寸切りを提供するために、一貫したせん断面をなす、請求項１に記載の金属製ロッキングタイ（５０）。
【請求項５】
金属製ロッキングタイ用工具（１２０）を受容するための線状の開口部をなす、ボールを保持する切り抜き（７４）を有するフード（７２）をさらに備える、請求項１に記載の金属製ロッキングタイ（５０）。
【請求項６】
前記タイヘッド（６０）は、前記タイ本体（５２）が引張られるまで、前記ローラー手段（９２）に対する抵抗を生じさせるために、前記フード（７２）の両側面にくぼみ（７８）を有する、請求項５に記載の金属製ロッキングタイ（５０）。
【請求項７】
フィンガ（７６）と、前記フィンガによって画定される、ボールを保持する切り抜き（７４）とを有するフード（７２）をさらに備える、請求項１に記載の金属製ロッキングタイ（５０）。
【請求項８】
前記フィンガ（７６）は、前記ローラー手段（９２）を保持するために、垂直に下方向に向かって曲げられる、請求項７に記載の金属製ロッキングタイ（５０）。
【請求項９】
前記フィンガ（７６）は、前記ローラー手段（９２）を保持するために、前記タイヘッド（６０）の前記底部（６２）の中央部に向かって弧を描く、請求項７に記載の金属製ロッキングタイ（５０）。
【請求項１０】
前記底部（６２）は、窓（６８）をさらに備える、請求項１に記載の金属製ロッキングタイ（５０）。
【請求項１１】
前記底部（６２，２６２）は、窓（６８，２６８）と、切り抜き部分（２６７）とをさらに備え、前記切り抜き部分は、金属製ロッキングタイ用工具（３２０）を受容するために、前記ストラップ出口端部（２８４）において前記第１の側面（２８０）から前記第２の側面（２８２）まで延在する、請求項１に記載の金属製ロッキングタイ（５０，２５０）。
【請求項１２】
請求項１〜１１のいずれか一項に記載の金属製ロッキングタイと、前記金属製ロッキングタイ（５０，２５０）を取り付けるための金属製ロッキングタイ用工具（１２０，３２０）であって、前記金属製ロッキングタイ用工具は、
前記金属製ロッキングタイ用工具の前面に固定されたカッターキャップ（１２４，３２４）を有する筐体（１２２，３２２）と、前記カッターキャップ内に可動に配置されたカッター（１３２，３３２）と、前記カッターから外側に向かって延出するボールセッター（１３０，３３０）と、アンビル（１２６，３３６）とを有し、
それにより、前記金属製ロッキングタイ用工具が前記金属製ロッキングタイを引張る際に、前記カッターが前記カッターキャップに対して直線的に移動して、前記ローラー手段（９２）を前記タイヘッド（６０，６０ａ，２６０）内に据え、かつ余分なタイ本体（５２，２５２）を前記金属製ロッキングタイから寸切りする、前記金属製ロッキングタイ用工具と、を備える、金属製ロッキングタイおよび金属製ロッキングタイを取り付けるための金属製ロッキングタイ用工具（１２０，３２０）。
【請求項１３】
前記筐体は、金属製ロッキングタイヘッド（６０，６０ａ，２６０）を受容するための、ガイド（３２６）をさらに備える、請求項１２に記載の金属製ロッキングタイおよび金属製ロッキングタイ用工具（１２０，３２０）。
【手続補正２】
【補正対象書類名】明細書
【補正対象項目名】０００４
【補正方法】変更
【補正の内容】
【０００４】
ここで、工具がロッキングヘッドにぴったりと沿って余分なストラップを切り落とすことを可能にする、一貫したせん断面を有する金属製ロッキングタイを提供することが望ましい。
特許文献２は、金属製ロッキングタイを取り付けるための工具を開示している。工具は、引張機構及びボール据付および切断機構を含む。引張機構は、束の周りに巻かれる金属製ロッキングタイを引っ張り、ボール据付および切断機構は、ガイドブロックおよびガイドブロックに係合するせん断ブロックを含む。
【手続補正３】
【補正対象書類名】明細書
【補正対象項目名】０００５
【補正方法】変更
【補正の内容】
【０００５】
【特許文献１】米国特許第４，３９９，５９２公報
【特許文献２】米国特許出願公開第２００８／０９２９８１号明細書
【手続補正４】
【補正対象書類名】明細書
【補正対象項目名】００１０
【補正方法】変更
【補正の内容】
【００１０】
フード７２は、タイヘッド６０内に配置されたローラー手段またはボール９２を保持するために、タブ（フィンガ）７６を形成する、ボールを保持するタブ状の切り抜き７４を含む。フード７２は、傾斜した工具用軸受け面８８が形成されることを可能にするように、ストラップ入口端部８４のより近くに配置される。タイヘッド６０内の、ボールを保持するタブ状の切り抜き７４は、空圧式手持ち工具１２０がフード７２の内側に入ることなく、空圧式手持ち工具１２０がローラー手段９２を据えるために、より深い線状の開口部をなすように、従来技術のロッキングタイヘッドにおける切り抜きよりも深い。タイヘッド６０におけるタブ（フィンガ）７６は、ストラップ受け入れ通路９０に、すなわちタイ本体５２がストラップ受け入れ通路９０を通り抜けることに影響を与えることなく、新たな傾斜した工具用軸受け面８８の空間をもたらすように、従来技術の金属製ロッキングタイヘッドのものよりも短い。図３および図４に例示されているように、タブ（フィンガ）７６は、下方向に向かって曲げられており、それにより、タブ（フィンガ）７６は、底床部６２に向かって概して垂直に延在する。
【手続補正５】
【補正対象書類名】明細書
【補正対象項目名】００１６
【補正方法】変更
【補正の内容】
【００１６】
図７は、ローラー手段９２がタイヘッド６０ａ内に据えられ、かつ余分なタイ本体５２が切断された状態の、束１４０の周りに配置された金属製ロッキングタイ５０の部分断面図を例示している。タイ本体５２に対する所定の引張が得られると、取り付け工具のボール据え付け機構はタイヘッド６０ａに係合する。取り付け工具のボール据え付け機構は、タブ（フィンガ）７６に係合して、ローラー手段９２を据え、タイ本体５２をそれぞれタイ本体５２およびタイヘッド６０ａ内の押しのけ穴５４、６６内へ移動させる。図７に示されているように、カッターブレードは、「Ｚ」の方向に下向きに移動して、タイ本体５２を、取り付け工具の固定されたせん断縁部に押し当ててせん断する。次に取り付け工具は、束１４０上の引張が維持された状態で、ローラー手段９２とタイ本体５２との間の最適な機械的な固定を残すように、金属製ロッキングタイ５０から分離され得る。
【手続補正６】
【補正対象書類名】明細書
【補正対象項目名】００２３
【補正方法】変更
【補正の内容】
【００２３】
フード２７２は、タイヘッド２６０内に配置されたローラー手段またはボール２９２を保持するようにタブ（フィンガ）２７６を形成する、ボールを保持するタブ状の切り抜き２７４を含む。タブ（フィンガ）２７６は、図１〜図７で開示されている金属製ロッキングタイヘッド６０、６０ａにおけるタブ（フィンガ）７６よりも長い。より長いタブ（フィンガ）２７６は弧を描いており、それにより、図１５および図１６に図示されているように、底床部２６２における部分的な窓２６８を概して覆うように配置される。
【手続補正７】
【補正対象書類名】明細書
【補正対象項目名】００２６
【補正方法】変更
【補正の内容】
【００２６】
図２０および図２１に例示されているように、タイヘッド２６０は、ガイド３２６内に配置される。工具が作動されると、ボールセッター３３０は、タブ（フィンガ）２７６に係合して、ローラー手段２９２を据え、カッター３３２が、アンビル３３６を通り過ぎて下方向に向かわせられて、上記に説明されるようにタイ本体２５２の寸切りが提供される。